(57)【要約】【課題】この発明は個人住宅やスーパーマーケットの事務所等人の居住する施設に不法侵入者が侵入した際に赤外線センサーが作動して建物内部の重要な個所で一斉に煙幕を発生させることにより侵入者を驚かせて早期退散を促したり、金庫の開錠作業などを妨害して侵入の目的を果たせなくさせると同時に着香剤が身体及び衣服に付着して逃走後に警察犬による捜査・逮捕を容易ならしめることが出来る不法侵入者作業妨害装置を提供することを目的とする。【解決手段】電源１，手動スイッチ２、赤外線センサースイッチ３よりなり、不審者の侵入を感知してスイッチ３が作動する侵入者感知部Ａと、この赤外線センサースイッチ３により作動し発煙剤を噴霧して煙幕を張る煙幕発生装置Ｂと、赤外線センサースイッチ３により作動し警報音を発報する警報発生装置Ｃとを備えたことを特徴とする不法侵入者作業妨害装置【選択図】  図１
2004318770.tif 000002
【特許請求の範囲】
【請求項１】
電源１，手動スイッチ２、赤外線センサースイッチ３よりなり、不審者の侵入を感知してスイッチが作動する侵入者感知部Ａと、この赤外線センサースイッチ３により作動し発煙剤を噴霧して煙幕を張る煙幕発生装置Ｂと、赤外線センサースイッチ３により作動し警報音を発報する警報発生装置Ｃとを備えたことを特徴とする不法侵入者作業妨害装置
【請求項２】
切替スイッチ４により煙幕発生装置Ｂ、警報発生装置Ｃを同時に又はそれぞれ単独に作動できるようにしたことを特徴とする請求項１記載の不法侵入者作業妨害装置
【請求項３】
警報音の音色を侵入個所に応じて変化させることが出来るようにしたことを特徴とする請求項１及び２記載の不法侵入者作業妨害装置
【請求項４】
発煙剤の中に強力な着香剤を混在させ、警察犬による捜査活動を容易ならしめるようにしたことを特徴とする請求項１記載の不法侵入者作業妨害装置
【発明の詳細な説明】
【０００１】
【産業上の利用分野】
この発明は個人住宅やスーパーマーケットの事務所等人の居住する施設に不法侵入者が侵入した際に赤外線センサーが作動して煙幕を発生させることにより侵入者を驚かせて早期退散を促したり、金庫の開錠作業等を妨害して侵入の目的を果たせなくさせると同時に着香剤が身体及び衣服に付着して逃走後に警察犬による捜査・逮捕を容易ならしめることが出来る不法侵入者作業妨害装置に関するものである。
【０００２】
【従来の技術】
従来、銀行や事務所あるいは家庭等への侵入盗を対象として防犯用着色液噴射装置や侵入者撃退装置，例えば特開２０００−００３４８４や特開２００１−２７３５６９は侵入者を感知したら侵入者に着色液を吹き付けて身体や衣服に付着して目立たせ，逮捕の可能性を高めることを目的としたものであるが、この装置は着色剤を噴射するので通路や庭先など着色による二次被害を最小限にとどめることが出来るような場所での使用が主たる対象である。
【０００３】
この点を特に配慮したのが後者で、屋内設置を想定し、家屋の住人や善意の訪問者が来そうな場合には電源を遮断して装置が作動しないように配慮している。
なぜなら着色剤を屋内で使用した場合は、噴射装置の近傍にある家財道具や商品などが着色剤で汚染され後始末に多大の労力を要したり、商品価値を無くして多大の損害を与える恐れがあるからである。
また、これらの装置は侵入者が着色剤が付着する範囲まで噴射装置に接近しなければ全く効果を発揮できない欠点も有している。
【０００４】
また、着色剤の代わりに催涙ガスを発射する装置も存在するが、この装置は家人が在宅していたり、事務所に従業員がいる場合にはこれらの身体に悪影響を与えるので使用を制限される欠点がある。
【０００５】
【発明が解決しようとする課題】
昨今はピッキングやカム送り、サムターン回しなどこれまでには無かった新たな手口の犯罪が続発しており，各種のセキュリティーシステムや防犯機器が開発されている。
しかし，これらのシステムや機器を導入しても決して十分ではなく、犯罪の手口とその対策はいたちごっこの関係にある。
本発明は家族や事務員が家の中や事務所の中にいて運悪く侵入された場合にも身体に悪影響をおよぼさず、安全でしかも、効率よく侵入者から身を守り、かつ侵入者の作業を困難にして、侵入者を撃退することが出来る装置を開発するためになされたものである。
【０００６】
【課題を解決するための手段】
一般に、侵入者が一番恐れるのは侵入を試みているときや物色しているところを見られて声を上げられたり通報されることであり、侵入を試みてから諦めるまでの時間は５分以内とされているようである。
また、不法侵入者の一番多い侵入方法はガラス破りであり、彼らにとってはガラスはあってもなくても同じであるとのことである。
【０００７】
したがって、本願発明は上記目的を達成するため、運悪く家人や事務員が施設の中にいるときに窓ガラスやサッシなどを破壊されて侵入された場合の侵入盗対策として開発されたもので、玄関ドア、窓ガラスあるいはサッシなど破壊されやすい場所や金庫の近くなどに赤外線センサーを設置し、かつ煙幕発生装置を建物内の重要な個所に設置しておき、不審者が窓を破り侵入するとセンサーが作動して直ちに煙幕を噴射する。
【０００８】
侵入者が侵入した部屋で煙幕で内部が全く見えないのと、突然の煙の発生で驚き右往左往しているすきに、警報音で不審者の侵入を察知した家人や事務員などは、煙幕の中でも勝手を知っているので速やかに安全な場所に避難することが出来る。
一方，侵入者は視界を妨げられるので、破壊した窓際や玄関口で中への侵入を妨げられて慌てて逃走したり、金庫の開錠作業等に取り掛かっても視界を妨げられるので作業に時間がかかり、発見・通報を恐れて逃走することとなる。
【０００９】
なお、噴射する煙の中に着香料を添加しておくと、微量であっても警察犬による捜査が容易となり、犯人逮捕に効果を発揮することが出来る。
また、煙幕の発生と同時に警報音の発報も同時に行うと家人が別室に居ても侵入者の存在を告知することが出来るが、赤外線センサーの設置場所ごとに警報音の音色を変えておくと侵入場所が特定化されるので家人はより速やかに安全な場所に避難することが出来る。
【００１０】
また、上記のような室内や事務所内に家人や事務員がいる場合は勿論であるが、無人の場合でも侵入者は煙幕と警報音の発生により驚き、侵入を諦めて速やかに逃走するので、被害を免れることが出来るのは勿論である。
【００１１】
従来の着色剤は直接侵入者に付着させるために噴射角度や噴射位置など設置場所が限定され、しかも、着色剤が付着したままでも侵入の目的を果たすことが出来るために家人等に被害が及んだり、金品を窃取されることになるが、本発明の煙幕は密閉した部屋では直ちに広範囲に拡散して視界を妨げることが出来、しかも，人畜無害であるから噴射角度や噴射位置など設置場所の制約が少ないなどの効果を有する。
【００１２】
【発明の実施の形態】
以下、発明の実施の１例を図面によって詳述する。
【００１３】
【実施例１】
侵入者が侵入しやすい玄関、サッシ、窓ガラスなどの近傍に、電源１（直流又は交流）、手動スイッチ２、赤外線センサースイッチ３よりなる侵入者感知部Ａを設置し、この赤外線センサースイッチ３により作動し内部に充填した発煙剤を噴霧し、視界を妨げる煙幕を発生する煙幕発生装置Ｂを建物内の適宜の場所に配置し、同様に赤外線センサースイッチ３により作動し警報音を発生する警報発生装置Ｃを建物の内外の適当な場所ににそれぞれ配置したものである。
【００１４】
煙幕発生装置Ｂの設置場所は侵入者感知部Ａを設置する部屋だけでなく、不審者が外部から直接侵入する恐れはないが、家人が居住する居間や寝室、従業員が執務する部屋、金庫等侵入者が狙う物が置いてある部屋など建物の中の重要な場所に設置しておくことにより本来の目的を効率よく発揮することが出来る。
【００１５】
警報発生装置Ｃも、家中に響き渡るような強力なものであれば１箇所の設置で効果があるが、音量が小さい場合には家人が居そうな全ての部屋に聞こえるように複数個適宜の個所に設置する必要があり、また、建物外にも設置して外部の人にも危険を察知してもらえるようにしておくとより効果がある。
なお、必要に応じて切替スイッチ４により煙幕発生装置Ｂ、警報発生装置Ｃを同時に又はそれぞれ単独に作動できるようにすることも可能である。
【００１６】
また、警報発生装置Ｃは赤外線センサースイッチの設置個所に応じて発報する音色を変化させるようにすると家人には不審者の侵入個所をいち早く知らせることが出来より安全な場所に速やかに避難することが出来る。
【００１７】
【発明の効果】
この発明は前記のように構成されているので、次に記載するような効果を有している。
【００１８】
不法侵入者である泥棒が留守宅の窓ガラスなどを破壊して侵入した場合には赤外線センサーが感知してスイッチが作動し、これにより煙幕発生装置Ｂが着香剤入りの煙を建物の中の各部屋で一斉に噴霧して煙幕を張り、同時に警報発生装置Ｃが警報音を発生するので侵入者は驚いて侵入口から早々に逃走する。
また、運悪く金庫の開錠作業等に取り掛かっても煙幕によって視界が妨げられて作業が困難となり、滞留時間が長くなると警察や近所へ通報されるので侵入の目的を早々に諦めて逃走する事となる。
【００１９】
また、家人が睡眠時に忍び込んだ場合や，家人の居ない部屋に侵入した場合にも家人は警報音と煙幕の発生で侵入者の存在に気付き、侵入者が煙幕で侵入を妨げられている間に、家人は煙幕の中でも勝手を知っているので速やかに安全な場所に避難することが出来る。  この際、警報発生装置Ｃの発報音を侵入者感知部Ａの設置した場所ごとに変化させるようにしておくと家人には不審者の侵入場所をいち早く認知することが出来より安全な場所に速やかに避難するこが出来る。
【００２０】
この際、発煙剤は人畜無害なものを使用し、しかも、その中に強力な着香剤（例えば人間には気づかれなくても犬には認識できるような香料）を混在させておき、侵入者が煙幕に触れると衣服や頭髪等に必ず付着するので臭いに敏感な警察犬により簡単に発見逮捕されることとなる。
【００２１】
また、従来の着色剤を噴射するものにあっては、着色剤を侵入者に直接付着させるために侵入個所に対する噴射角度や噴射位置など設置場所につき配慮しなければならないが本願発明の煙幕発生装置Ｂは速やかに煙幕を張れる場所であれば設置場所はどこでもよくほとんど限定されることはない。
また、従来の装置は着色剤を侵入者に付着させたとしても侵入者は付着したまま侵入の目的を果たすことが出来るが本発明の不法侵入者作業妨害装置は発煙剤によって視界が妨げるので初期段階で侵入を妨害することが出来るとともに、万一侵入して作業しようとしても視界を妨害されて作業に手間取るので、侵入者は通報、警察官の到着を警戒して早々に退散するなど数多くの優れた特徴を有するものである。
【図面の簡単な説明】
【図１】不法侵入者作業妨害装置のブロック図である。
【符号の説明】
１  電源
２  手動スイッチ
３  赤外線センサースイッチ
４  切替スイッチ
Ａ  侵入者感知部
Ｂ  煙幕発生装置
Ｃ  警報発生装置
【図１】
2004318770.tif 000003